【手続補正書】
【提出日】平成30年9月20日(2018.9.20)
【手続補正１】
【補正対象書類名】明細書
【補正対象項目名】００７４
【補正方法】変更
【補正の内容】
【００７４】
本開示の教示を組み込む実施形態が本願において詳細に図示及び記載されてきたが、当業者であれば、それらの教示を依然として組み込む多くの他の変形された実施形態に用地に想到可能である。検索クエリ形成のためのシステム、方法、非一時的なプログラム記憶デバイス、及びユーザインターフェイスの好適な実施形態が記載されてきたが、それらは実例であって限定ではなく、変更及び変形は、上記の教示に照らして当業者によって行われ得ることが知られる。従って、変更は、添付の特許請求の範囲によって示されている本開示の適用範囲内にあるように本開示の特定の実施形態において行われてよいことが理解されるべきである。
上記の実施形態に加えて、以下の付記を開示する。
（付記１）
メディアアイテムの推奨リストを生成する方法であって、
メディア基盤に関連するメタデータを表す少なくとも１つのメタデータ領域を有する前記メディア基盤のグラフィカル表現を提示し、
前記グラフィカル表現の少なくとも一部分の選択を受け取り、
前記受け取られた選択に基づき少なくとも１つの検索語を生成し、
前記少なくとも１つの検索語を用いてメディアアイテムを検索し、
前記検索に基づきメディアアイテムの前記推奨リストを供給する
方法。
（付記２）
前記グラフィカル表現は、複数のメタデータ領域を有し、
前記複数のメタデータ領域の夫々のメタデータ領域は、前記メディア基盤に関連する異なったメタデータを表し、
前記選択は、前記複数のメタデータ領域のうちの第１メタデータ領域の少なくとも一部分と、前記複数のメタデータ領域のうちの第２メタデータ領域の少なくとも一部分とを示す、
付記１に記載の方法。
（付記３）
前記生成することは、
前記第１メタデータ領域の前記部分に基づき少なくとも第１検索語を生成し、
前記第２メタデータ領域の前記部分に基づき少なくとも第２検索語を生成する
ことを有する、付記２に記載の方法。
（付記４）
前記第２メタデータ領域の前記部分によって示される前記選択のパーセンテージに対する、前記第１メタデータ領域の前記部分によって示される前記選択のパーセンテージに基づき、前記第２検索語に対して前記第１検索語を重み付けする
ことを更に有する付記３に記載の方法。
（付記５）
前記第１検索語及び前記第２検索語は、前記検索において等しく重み付けられる、
付記３に記載の方法。
（付記６）
前記グラフィカル表現は、複数のメタデータ領域を有し、
前記複数のメタデータ領域の夫々のメタデータ領域は、前記メディア基盤に関連する異なったメタデータを表し、
前記提示することの後且つ前記受け取ることの前に、前記複数のメタデータ領域のうちの第２メタデータ領域のサイズに対して、前記複数のメタデータ領域のうちの第１メタデータ領域のサイズを変更する
ことを有する付記１に記載の方法。
（付記７）
前記グラフィカル表現は、複数のメタデータ領域を有し、
前記複数のメタデータ領域の夫々のメタデータ領域は、前記メディア基盤に関連する異なったメタデータを表し、
前記提示することの後且つ前記受け取ることの前に、前記グラフィカル表現内で、前記複数のメタデータ領域のうちの第２メタデータ領域の少なくとも一部分に対して、前記複数のメタデータ領域のうちの第１メタデータ領域の少なくとも一部分を変更する
ことを有する付記１に記載の方法。
（付記８）
前記グラフィカル表現は、複数のメタデータ領域を有し、
前記複数のメタデータ領域の夫々のメタデータ領域は、前記メディア基盤に関連する異なったメタデータを表し、
前記提示することの後且つ前記受け取ることの前に、前記複数のメタデータ領域のうちの第１メタデータ領域を前記グラフィカル表現から取り除くこと、及び前記複数のメタデータ領域に第２メタデータ領域を加えること、のうちの１つ
を有する付記１に記載の方法。
（付記９）
前記グラフィカル表現は、複数のメタデータ領域を有し、
前記複数のメタデータ領域の夫々のメタデータ領域は、前記メディア基盤に関連する異なったメタデータを表し、
前記複数のメタデータ領域のうちの第１メタデータ領域は、前記複数のメタデータ領域のうちの第２メタデータ領域を囲む、
付記１に記載の方法。
（付記１０）
前記提示することは、他のメディア基盤に関連するメタデータを表す少なくとも１つのメタデータ領域を有する前記他のメディア基盤の他のグラフィカル表現を提示することを更に有し、
前記受け取ることは、前記グラフィカル表現の前記少なくとも一部分の及び前記他のグラフィカル表現の少なくとも一部分の少なくとも１つの選択を受け取ることを有する、
付記１に記載の方法。
（付記１１）
前記受け取ることは、前記グラフィカル表現の前記少なくとも一部分及び前記他のグラフィカル表現の前記少なくとも一部分を重ね合わせることを有する、
付記１０に記載の方法。
（付記１２）
前記提示することの後且つ前記受け取ることの前に、前記他のグラフィカル表現のサイズに対して、前記グラフィカル表現のサイズを変更する
ことを更に有する付記１０に記載の方法。
（付記１３）
メディア基盤のグラフィカル表現の少なくとも一部分の選択を受け入れるユーザインターフェイスと、
前記選択を処理して少なくとも１つの検索語を生成するプロセッサと、
前記少なくとも１つの検索語を検索エンジンへ送信する通信インターフェイスと
を有する装置。
（付記１４）
前記ユーザインターフェイスは、前記グラフィカル表現及び前記選択の表示を有する、
付記１３に記載の装置。
（付記１５）
前記ユーザインターフェイスは、該ユーザインターフェイスが前記選択を受け入れる前に、前記グラフィカル表現を再構成する、
付記１３に記載の装置。
（付記１６）
前記ユーザインターフェイスは、前記メディア基盤の前記グラフィカル表現の前記少なくとも一部分の及び他のメディア基盤の他のグラフィカル表現の少なくとも一部分の前記選択を受け入れる、
付記１３に記載の装置。
（付記１７）
前記選択は、前記メディア基盤の前記グラフィカル表現の前記少なくとも一部分の及び前記他のメディア基盤の前記他のグラフィカル表現の前記少なくとも一部分のオーバーラップを有する、
付記１６に記載の装置。
（付記１８）
メディアアセット検索を助けるユーザインターフェイスであって、
第１メディアアセットの第１グラフィカル表現であり、前記第１メディアアセットを表し第１アイコンと、該第１アイコンを囲む複数の階層的なリングと有し、該複数の階層的なリングは、前記第１メディアアセットに関連する固有メタデータを表す内側リングと、前記第１メディアアセットに関連する汎用メタデータを表す外側リングとを有する、前記第１グラフィカル表現と、
第２メディアアセットの第２グラフィカル表現であり、前記第２メディアアセットを表す第２アイコンと、該第２アイコンを囲む複数の階層的なリングとを有し、該複数の階層的なリングは、前記第２メディアアセットに関連する固有メタデータを表す内側リングと、
前記第２メディアアセットに関連する汎用メタデータを表す外側リングとを有する、前記第２グラフィカル表現と、
前記第１メディアアセットの前記第１グラフィカル表現の前記階層的なリングの少なくとも一部分及び前記第２メディアアセットの前記第２グラフィカル表現の前記階層的なリングの少なくとも一部分が重なり合うように前記第１メディアアセットの前記第１グラフィカル表現及び前記第２メディアアセットの前記第２グラフィカル表現のうちの少なくとも１つを動かすことをユーザに可能にするタッチスクリーンディスプレイと、
前記第１メディアアセットの前記第１グラフィカル表現及び前記第２メディアアセットの前記第２グラフィカル表現の前記重なり合うリングに関連するメタデータに基づき第３メディアアセットを検索する検索エンジンと
を有するユーザインターフェイス。
（付記１９）
前記第１メディアアセットの前記第１グラフィカル表現及び前記第２メディアアセットの前記第２グラフィカル表現の前記重なり合うリングに関連するメタデータに基づき複数の検索語を生成するプロセッサを更に有し、
前記検索エンジンは、前記複数の検索語に基づき前記第３メディアアセットを検索する、
付記１８に記載のユーザインターフェイス。
（付記２０）
前記重なり合うリングは、
前記第１メディアアセットに関連する前記汎用メタデータを表す前記外側リングの部分と、
前記第２メディアアセットに関連する前記汎用メタデータを表す前記外側リングの部分と
を有し、
前記複数の検索語は、
前記第１メディアアセットに関連する前記汎用メタデータを表す前記外側リングの前記部分に基づく第１検索語と、
前記第２メディアアセットに関連する前記汎用メタデータを表す前記外側リングの前記部分に基づく第２検索語と
を有する、
付記１９に記載のユーザインターフェイス。
（付記２１）
前記プロセッサは、前記第２メディアアセットに関連する前記汎用メタデータを表す前記外側リングの前記部分のサイズに対する、前記第１メディアアセットに関連する前記汎用メタデータを表す前記外側リングの前記部分の相対サイズに基づき、前記第２検索語に対して前記第１検索語を重み付けする、
付記２０に記載のユーザインターフェイス。
（付記２２）
前記プロセッサは、前記第１検索語及び前記第２検索語を等しく重み付けする、
付記２０に記載のユーザインターフェイス。
（付記２３）
メディアアセット検索を助ける方法であって、
第１メディアアセットの第１グラフィカル表現であり、前記第１メディアアセットを表し第１アイコンと、該第１アイコンを囲む複数の階層的なリングと有し、該複数の階層的なリングは、前記第１メディアアセットに関連する固有メタデータを表す内側リングと、前記第１メディアアセットに関連する汎用メタデータを表す外側リングとを有する、前記第１グラフィカル表現と、
第２メディアアセットの第２グラフィカル表現であり、前記第２メディアアセットを表す第２アイコンと、該第２アイコンを囲む複数の階層的なリングとを有し、該複数の階層的なリングは、前記第２メディアアセットに関連する固有メタデータを表す内側リングと、
前記第２メディアアセットに関連する汎用メタデータを表す外側リングとを有する、前記第２グラフィカル表現と
を同時に提示し、
前記第１メディアアセットの前記第１グラフィカル表現の前記階層的なリングの少なくとも一部分及び前記第２メディアアセットの前記第２グラフィカル表現の前記階層的なリングの少なくとも一部分が重なり合うように前記第１メディアアセットの前記第１グラフィカル表現及び前記第２メディアアセットの前記第２グラフィカル表現のうちの少なくとも１つを動かすことをユーザに可能にし、
前記第１メディアアセットの前記第１グラフィカル表現及び前記第２メディアアセットの前記第２グラフィカル表現の前記重なり合うリングに関連するメタデータに基づき第３メディアアセットを検索する
ことを有する方法。
（付記２４）
前記可能にすることは、前記第１メディアアセットの第１グラフィカル表現及び前記第２メディアアセットの前記第２グラフィカル表現のうちの少なくとも１つをタッチスクリーンディスプレイ上で動かすことを前記ユーザに可能にすることを有する、
付記２３に記載の方法。
（付記２５）
前記検索より前に、前記第１メディアアセットの前記第１グラフィカル表現及び前記第２メディアアセットの前記第２グラフィカル表現の前記重なり合うリングに関連する前記メタデータに基づき複数の検索語を生成することを更に有し、
前記検索は、前記複数の検索語に基づく、
付記２３に記載の方法。
（付記２６）
前記重なり合うリングは、
前記第１メディアアセットに関連する前記汎用メタデータを表す前記外側リングの部分と、
前記第２メディアアセットに関連する前記汎用メタデータを表す前記外側リングの部分と
を有し、
前記生成することは、
前記第１メディアアセットに関連する前記汎用メタデータを表す前記外側リングの前記部分に基づき少なくとも第１検索語を生成し、
前記第２メディアアセットに関連する前記汎用メタデータを表す前記外側リングの前記部分に基づき少なくとも第２検索語を生成する
ことを有する、
付記２５に記載の方法。
（付記２７）
前記検索より前に、前記第２メディアアセットに関連する前記汎用メタデータを表す前記外側リングの前記部分のサイズに対する、前記第１メディアアセットに関連する前記汎用メタデータを表す前記外側リングの前記部分の相対サイズに基づき、前記第２検索語に対して前記第１検索語を重み付けする
ことを更に有する付記２６に記載の方法。
（付記２８）
前記検索より前に、前記第１検索語及び前記第２検索語を等しく重み付けする
ことを更に有する付記２６に記載の方法。